(57)【特許請求の範囲】
【請求項１】
打込み機本体の下部の打ち込み用ノーズ部に開口するように設けられたファスナーの送り通路と、該送り通路に装填された連結ファスナーを送り方向に移動可能に設けられた送り爪に係合させて上記ノーズ部の射出口に送り出すファスナー送り機構と、を備えたファスナー打込み機において、
上記連結ファスナーとして、上下の連結シートを介してファスナーを連結し、この上下の連結シートのそれぞれの長手方向の一側において、上下で対応する位置に係合凹部又は係合凸部を形成した連結ファスナーを使用し、
上記上下の係合凹部又は係合凸部間の間隔が互いに異なる複数種類の連結ファスナーを個別に装填可能に形成するととともに、
上記ファスナー送り機構は、上記送り通路に装填された上記連結ファスナーの送り動作を規制する逆止爪を備え、
上記送り爪又は上記逆止爪は、上記複数種類の連結ファスナーのいずれを使用した場合でも、上記上下の係合凹部又は係合凸部に係合可能に形成されていることを特徴とするファスナー打込み機。
【請求項２】
打込み機本体の下部の打ち込み用ノーズ部に開口するように設けられたファスナーの送り通路と、該送り通路に装填された連結ファスナーを送り方向に移動可能に設けられた送り爪に係合させて上記ノーズ部の射出口に送り出すファスナー送り機構と、を備えたファスナー打込み機において、
上記連結ファスナーは、ファスナーを保持する軸孔を有するファスナー保持部と、隣り合うファスナー保持部を連結する連結部と、を交互に形成した連結帯を備えるとともに、上記連結部を上記連結帯の中央より左右のいずれか一方の片寄り側に設け、更に、上記連結帯の長手方向の連結部側の外縁部に沿って所定の間隔をおいて係合凹部又は係合凸部を形成したものであって、
上記ファスナー送り機構は、上記送り通路に装填された上記連結ファスナーの送り動作を規制する逆止爪を備え、
上記逆止爪は、上記係合凹部又は係合凸部に係合可能に形成されていることを特徴とするファスナー打込み機。
【発明の詳細な説明】
【技術分野】
【０００１】
本発明は、マガジン内に収納された連結ファスナーをファスナーの送り通路から射出口を備えたノーズ部に送り出すファスナー送り機構と、上記ノーズ部に沿って摺動自在に設けられて被打ち込み材に押し付けることによりノーズ部と相対的に移動してファスナーの打ち込み起動操作を有効にするコンタクトアームとを備えたファスナー打込み機に関する。
【０００２】
さらに、本発明は、空気圧、燃料ガス等を駆動源とするファスナー打込み機に使用されるとともに、ファスナー打込み機の射出口にファスナーを送る際に、ファスナーが送り方向と逆に移動するのを確実に阻止するファスナー打込み機に関するものである。
【背景技術】
【０００３】
例えば圧縮空気を駆動源とする釘打機は、エアチャンバ内の高圧エアをメインバルブの作動によって打撃シリンダの上端に対して開閉し、打撃シリンダに供給された高圧エアによって内部に収容された打撃ピストンを駆動し、打撃ピストンに一体的に結合したドライバ、ドライバビット等の打撃手段により、マガジンから釘打機本体の下部に設けられた打ち込み用ノーズ部の射出口に供給された釘を打撃して打ち込むように構成されている。
【０００４】
そして、ノーズ部の射出口とマガジンとの間には釘送り通路が設けられ、マガジンに収納された連結釘は釘送り機構により引き出されて釘送り通路から射出口に送られるようになっている。釘の送りは、釘送り通路に釘送り方向に往復動するように設けられた送り爪によって行われる。送り爪は釘送り通路に並んだ連結釘の裏側に配置され、送り爪が往動するときに連結釘の釘軸部に係合して釘１本分だけ送り出し、復動時には連結釘を回避するように釘送り通路の外側に回動しながら後退移動して再び後位の釘軸部に係合するという動作を繰り返すように構成されている（特許文献１参照）。
【０００５】
また、起動用トリガを引き操作したときに、常にファスナーが打ち出されるようにすると非常に危険であるから、ノーズ部に沿ってコンタクトアームを摺動可能に配置し、コンタクトアームの先端部分をノーズ部よりも突出させ、打ち込みに当たりノーズ部を被打ち込み材に押し付けることにより、コンタクトアームが釘打機本体と相対的に移動し、コンタクトアームの上端部がトリガと係合した場合にのみトリガの引き操作が有効となって釘打機が起動するようにする安全装置が設けられている。したがって、ノーズ部を被打ち込み材に押し付けないでトリガを引いても、その引き操作は無効となり、釘打機は起動しない（特許文献２参照）。
【０００６】
なお、上述の釘送り機構やコンタクトアームによる安全機構は、釘打機だけでなく、打込みネジを打ち込むネジ打ち機にも搭載されている。
【０００７】
ところが、従来の釘送り機構は、釘を送る途中で何らかの不具合が発生したり、送られた釘が正常な位置まで送られなかったりした場合、あるいは誤装填したりして連結釘が正規の位置に送られなかった場合でも、コンタクトアームが作動すれば実打が可能で、釘がノーズ部内に詰まったりして不具合が生じるおそれがあった。
【０００８】
そこで、この点を改善するため、送り爪を高くして釘送り通路内に深く進入するようにし、釘装填時に送り爪を押し込んでスイングさせ、正規位置に装填するものとし、送り爪が正規位置にないときは、送り爪が十分にスイングしないため、コンタクトアームが送り爪と干渉し、上死点まで作動することができず、安全装置が解除されない構造も知られている（特許文献３参照）。
【０００９】
また、一般に、連結ファスナーには金属ワイヤで連結するものと合成樹脂材で連結するものとがあるが、合成樹脂材で連結する連結ファスナーには、主に曲げシート連結方式と平シート連結方式の２つの方式のものが知られている。曲げシート連結方式の連結ファスナーは、細長の帯状シート部の両側縁から同じ向きの釘保持片を連続的に折り曲げ形成し、両側に対応する保持片にそれぞれファスナーを嵌合保持させて連結したものである。平シート連結方式の連結ファスナーは、細長の平シート状の連結帯にファスナーを保持する保持部と隣り合う保持部間を連結する幅狭の連結部とを交互に設けたもので、連結帯が複数枚の場合もあり、またファスナーの軸部に頭部とほぼ同径のガイドチューブを嵌合保持させて連結したものもある。ガイドチューブは打ち込み時に射出口内でファスナーが傾かないようにガイドするもので、通常はガイドチューブの上下に連結帯が配置されている。そして、この平シートタイプの連結ファスナーは、ほとんどが真直状に形成されているものであった。
【００１０】
ところで、近年、平シート連結方式の連結ファスナーに、各ファスナー保持部を連結する連結部をオフセット、つまり連結部を連結帯の長手方向の右又は左のいずれかに偏るように設けたものが開発されている（特許文献４〜６参照）。これによれば、合成樹脂製連結帯を使用した連結ファスナーもコイル状に巻き回すことができるとともに、コイル状に巻き回したときにその外径を小さくしやすいので、多数のファスナーを打ち込み工具のマガジン内に装填することができるというメリットがある。
【００１１】
ところで、上記特許文献４〜６記載のように、連結部が連結帯の一側に配置される形態の、ファスナー打込み機には、連結ファスナーを収納したマガジンから打ち込み用ノーズ部の射出口にファスナーを順次供給するファスナーの送り機構が設けられている。この送り機構は、送り爪と逆止爪とから構成され、送り爪はファスナー送り方向に往復動し、往動時に連結ファスナーに係合して射出口側に送り、復動して後位のファスナーに係合する。これに対し、逆止爪は、送り爪が復動する時に連結ファスナーに係合して連結ファスナーが送り爪とともに送りと逆方向に移動するのを阻止する。
【先行技術文献】
【特許文献】
【００１２】
【特許文献１】特許第２８３６５１２
【特許文献２】特開２００５−８１５１５
【特許文献３】特開平８−２７６３７８号
【特許文献４】特開２００９−１１５２１２公報
【特許文献５】特開２００９−１１５２１３公報
【特許文献６】特開２００９−２６４５８５公報
【発明の概要】
【発明が解決しようとする課題】
【００１３】
しかしながら、特許文献３に示す構成では、送り爪の高さが高いため釘送りは安定するが、連結釘装填時に送り爪を回動させてスイングするという操作が必要であった。
【００１４】
本発明は上記問題点を解消し、送り爪を回動操作することなく、直接に連結ファスナーを装填することができるとともに、連結ファスナーを誤装填したり、その送りに不具合が生じたりした場合にはファスナーの打ち込み作動を確実に防止することができるファスナー打込み機を提供することをその課題とする。
【００１５】
更に、上記したような従来の平シート連結方式の連結ファスナーを使用するファスナー打込み機では、上下に配された連結帯の間に送り爪又は逆止爪を移動させ、その先端をガイドチューブ又はファスナーの軸に係合させるように構成されていた。
【００１６】
しかしながら、送り爪又は逆止爪をガイドチューブ又はファスナーの軸に係合させる構造では、上記爪は連結帯の外側から内側に深く入って係合することになるので、大きく揺動させる必要がある。したがって、必然的にファスナーの送り機構が大きくならざるを得ない。また、特に逆止爪の場合は、連結ファスナーが後退しないように保持するだけであるから、わざわざファスナーの軸に係合させる必要はない。
【００１７】
そこで例えば、上記特許文献４の図２の連結帯は、連結帯の連結部側の外縁部において釘保持部と連結部との境界部が、円弧部分と直線部分との境界に一定の角度を有する凹みが形成されているので、これを利用してここに逆止爪を係合させることが考えられる。しかし、この凹みは角度が浅く、緩やか過ぎて逆止爪が滑ってしまうおそれがある。そして、上記特許文献４の図１１〜図１３の連結帯は円弧部分と直線部分との境界が２箇所あることから逆止爪が２箇所で係合する可能性があり、係合が安定しないという問題がある。
【００１８】
また、特許文献５の連結帯の場合は、釘保持部に凸部が形成されている。この凸部は線対称に形成された連結帯を中心で切断したときの残余部であるが、これを利用して逆止爪を係合させようとしても、逆止爪は必ずしも凸部に係合するわけではなく、特許文献４と同様に、釘保持部と連結部との境界部の凹みに係合する場合もあり、逆止爪が２箇所で係合する可能性があり係合が安定しない。
【００１９】
さらに、特許文献６の連結帯は平シートタイプではないが、この場合も、特許文献５の場合と同様に、逆止爪が２箇所で係合する可能性があり、係合が安定しない。
【００２０】
送り爪を連結帯の同じ部位に係合させる場合も、同様の問題が発生する。
【００２１】
このように、いずれの場合も、従来の連結帯の形状をそのままにして送り又は逆止に利用しようとしても、そもそも上記凹部は係合させるためのものではないのであり、この部位に爪を係合させようとするものであるから、連結ファスナーの送り又は逆止が安定しないのはむしろ当然の結果である。
【００２２】
そこで、本発明は上記問題点を解消し、合成樹脂製の連結帯を確実に送り方向に送り又は逆方向への移動を阻止することができる係合凹部又は係合凸部を有する異なる種類の連結ファスナーに対して逆止爪の共通化を図ることができる連結ファスナー打込み機を提供することをその課題とする。
【課題を解決するための手段】
【００２３】
【００２４】
【００２５】
【００２６】
【００２７】
上記課題を解決するため、請求項１に係る発明は、打込み機本体の下部の打ち込み用ノーズ部に開口するように設けられたファスナーの送り通路と、該送り通路に装填された連結ファスナーを送り方向に移動可能に設けられた送り爪に係合させて上記ノーズ部の射出口に送り出すファスナー送り機構と、を備えたファスナー打込み機において、上記連結ファスナーとして、上下の連結シートを介してファスナーを連結し、この上下の連結シートのそれぞれの長手方向の一側において、上下で対応する位置に係合凹部又は係合凸部を形成した連結ファスナーを使用し、上記上下の係合凹部又は係合凸部間の間隔が互いに異なる複数種類の連結ファスナーを個別に装填可能に形成するととともに、上記ファスナー送り機構は、上記送り通路に装填された上記連結ファスナーの送り動作を規制する逆止爪を備え、上記送り爪又は上記逆止爪は、上記複数種類の連結ファスナーのいずれを使用した場合でも、上記上下の係合凹部又は係合凸部に係合可能に形成されていることを特徴とする。
【００２８】
請求項２に係る発明は、打込み機本体の下部の打ち込み用ノーズ部に開口するように設けられたファスナーの送り通路と、該送り通路に装填された連結ファスナーを送り方向に移動可能に設けられた送り爪に係合させて上記ノーズ部の射出口に送り出すファスナー送り機構と、を備えたファスナー打込み機において、上記連結ファスナーは、ファスナーを保持する軸孔を有するファスナー保持部と、隣り合うファスナー保持部を連結する連結部と、を交互に形成した連結帯を備えるとともに、上記連結部を上記連結帯の中央より左右のいずれか一方の片寄り側に設け、更に、上記連結帯の長手方向の連結部側の外縁部に沿って所定の間隔をおいて係合凹部又は係合凸部を形成したものであって、上記ファスナー送り機構は、上記送り通路に装填された上記連結ファスナーの送り動作を規制する逆止爪を備え、上記逆止爪は、上記係合凹部又は係合凸部に係合可能に形成されていることを特徴とする。
【発明の効果】
【００２９】
【００３０】
【００３１】
【００３２】
【００３３】
【００３４】
請求項１に係る発明によれば、送り爪又は逆止爪が、複数種類の連結ファスナーのいずれを使用した場合でも、上下の係合凹部又は係合凸部に係合可能に形成されている。このため、逆止爪又は送り爪が係合部に係合する態様は、連結釘の種類の如何にかかわらず全て同じであり、共通の逆止爪でシステムを構成する全ての種類の連結釘の逆止を確実に実行することができる。このように、連結釘毎に逆止爪を変えたり、釘打機を変えたりする必要がないので、全体のコストを格段に抑えることができる。
【００３５】
また、逆止爪又は送り爪の位置精度も要求されないから、逆止爪又は送り爪を板金加工により、また逆止爪又は送り爪を支持する部材を合成樹脂によって構成することができる。したがって、部品コストを低減し、全体を軽量化することができる。
【００３６】
請求項２に係る発明によれば、連結部を連結帯の中央より左右のいずれか一方の片寄り側に設けたため、連結部が設けられた側と逆側において送り爪が確実に係合することができ、安定してファスナーを送ることができる。
【００３７】
また、連結部が設けられた側においては、連結帯の長手方向の連結部側の外縁部に沿って所定の間隔をおいて係合凹部又は係合凸部が形成され、この係合凹部又は係合凸部に逆止爪が係合可能に形成されている。このため、逆止爪も確実に係合し、ファスナーの逆方向への移動を確実に阻止することができる。
【図面の簡単な説明】
【００３８】
【図１】ファスナー打込み機の一形態である釘打機の縦断面図
【図２】（ａ）（ｂ）（ｃ）は上記釘打機のノーズ部を下から見た図で、送り爪とコンタクトアームとの係合態様を示す説明図
【図３】（ａ）（ｂ）は連結釘の正面図及び連結シートの平面図
【図４】（ａ）（ｂ）（ｃ）（ｄ）は、釘送り機構の作動態様図
【図５】コンタクト部材を示した釘打機の側面図
【図６】（ａ）は１本の残り釘を送るために送り爪が後退移動したときの逆止爪の係合状態を示す断面図、（ｂ）はその拡大図、（ｃ）は逆止爪が平坦形状のときの係合状態を示す断面図
【図７】安全装置の他の実施形態を示す斜視図
【図８】（ａ）（ｂ）は図７に示す安全装置の作動態様説明図
【図９】安全装置のさらに他の実施形態を示す斜視図
【図１０】（ａ）（ｂ）は図９に示す安全装置の作動態様説明図
【図１１】（ａ）は逆止機構のドア部分を含む斜視図、（ｂ）はドア部分を外した状態の斜視図
【図１２】逆止爪と連結釘との関係を示す斜視図
【図１３】逆止爪と連結釘との関係を示す平面図
【図１４】（ａ）（ｂ）はそれぞれ共通の逆止爪と異なる連結釘との逆止関係を示した斜視図
【図１５】（ａ）（ｂ）はそれぞれ共通の逆止爪と異なる連結釘との逆止関係を示した正面視図
【発明を実施するための形態】
【００３９】
（釘打機）
図１は釘打機を示す。釘打機は釘打機本体１の後部にグリップ２を、釘打機本体１の下部には射出口４を有するノーズ部３をそれぞれ一体に設け、ノーズ部３の後部には射出口４に釘を供給するマガジン５を連設したもので、釘打機本体１内には打撃機構が設けられている。すなわち、打撃シリンダ６内に打撃ピストン７が摺動自在に収容されている。打撃ピストン７の下部にはドライバ８が一体に結合固定され、ドライバ８はノーズ部３の射出口４内を摺動するように構成されている。また、釘打機本体１には図示されないエアコンプレッサ等の圧縮空気供給源（図示せず）から供給された圧縮空気を貯留するエアチャンバ１０が形成されている。
【００４０】
マガジン５に収納された連結釘（連結ファスナー）Ａは、送り通路１１を通ってノーズ部３の射出口４に供給されるように構成されている。なお、連結釘Ａは図３に示されるように、軸部に射出口４内径よりも僅かに小さい外径を有するガイドチューブ１２を嵌挿した複数の釘ａを合成樹脂製の上下２枚の連結シート１３を介して連結したものである。連結シート１３の一側には係合凹部１４が形成されている。
【００４１】
より詳しくは、連結シート１３は、図３に示されるように、薄い細長帯状の平シート状で、ガイドチューブ１２の中心孔と同じ程度の大きさの軸孔１３ｄが形成されたファスナー保持部１３ｃと、隣り合うファスナー保持部１３ｃを連結する幅狭の連結部１３ｂとを交互に連続して形成したものである。連結部１３ｂは連結シート１３の中央よりも左右（図では上方）に偏って形成されている。このため、連結シート１３の連結部１３ｂ側の外縁部１３ａは略真直に、他側はファスナー保持部１３ｃ間に送り爪係合部６０が形成された形状となっている。そして、外縁部１３ａの各ファスナー保持部１３ｃには、後述の逆止爪２８が係合する逆止用の係合部として係合凹部１４が形成されている。係合凹部１４は全体的にほぼ三角形状で、その一端は連結シート１３の長手方向に対して略直角に、他端側は斜めに形成されている。しかし、係合凹部はこの形状に限定されない。凹字状、Ｖ字状または凸字状等であってもよい。なお、係合凹部１４は２枚の連結シート１３に、釘ａの軸方向に沿って視たとき、換言すれば平面視において、上下で対応する位置に設けられるとともに、上下の係合凹部１４間にガイドチューブ１２が露出しないようになっている。
【００４２】
上記連結釘Ａによれば、連結シート１３の外縁部１３ａが略真直に形成されているので、後述のように、釘打機の送り機構の係合手段（逆止爪や送り爪）が確実に係合凹部１４に係合するので、送りや逆止が安定する。
【００４３】
ここで、釘打機を起動させるときは、トリガレバー１５を引き操作する。これにより起動バルブ１６が作動するとともに、メインバルブ１７が圧縮空気が貯留されたエアチャンバ１０を打撃シリンダ６に開くので、圧縮空気が打撃シリンダ６内に急激に供給され、打撃ピストン７とともにドライバ８が駆動され、射出口４内の釘を打撃して打ち出すように構成されている。釘打ち込み時に打撃ピストン７の下方空間で圧縮された空気は打撃シリンダ６の下部のブローバックチャンバ１８に貯留され、打撃ピストン７の上方の圧縮空気が排気されたときに打撃ピストン７の下部に供給されてこれを初期位置に復帰移動させ、次の釘打ち込み作動が準備される。
【００４４】
（送り機構）
ところで、送り通路１１はマガジン５から連結釘Ａを引き出して射出口４に送るための通路で、図４に示されるように、連結釘Ａを収納するマガジン５と射出口４との間に配置され、固定壁２０とドア２１との間に形成されている。送り通路１１には釘送り機構が設けられている。すなわち、固定壁２０の外側には送りシリンダ２２が配置され、送りシリンダ２２には送りピストン２３が送り方向に往復動自在に配置されている。送りシリンダ２２の一端はエア管路２４（図１参照）を介してブローバックチャンバ１８に連通している。送りピストン２３には前方に突出する送りロッド２５が一体に設けられ、送りロッド２５の先端の軸１９には送り爪２６が送り通路１１から退避回動できるように取り付けられ、図示しないバネにより送り通路１１に進入するように付勢されている。送りピストン２３はバネ２７によって前方に付勢され、所定のタイミング（釘打ち込み直後）でブローバックチャンバ１８からエア管路２４を経て釘送りシリンダ２２内に圧縮空気が送られることにより送りピストン２３と送りロッド２５と送り爪２６が後退し、上記圧縮空気が排出されることにより、送りピストン２３と送りロッド２５と送り爪２６はバネ２７によって前進するようになっている。
【００４５】
これに対し、ドア２１は釘送り通路１１を開閉するもので、箱形に形成され、その内側には逆止爪２８が設けられている。逆止爪２８はドア２１に設けられた支軸３０に回動自在に設けられた逆止爪部材２９の先端に形成されている。逆止爪２８はＺ字形に形成され、逆止爪２８の先端３１はさらに少し送り通路１１側に屈曲形成されている。支軸３０にはねじりコイルバネ３２が巻きつけられ、これにより逆止爪部材２９は常時送り通路１１の中心側に付勢され、連結釘Ａを押圧している。
【００４６】
上記送り機構によれば、連結釘Ａがマガジン５に装填された後、釘送り機構が作動すると、送りピストン２３はいったん図４（ｂ）に示すように後退した後、同図（ｃ）のように前進する。前進したとき、送り爪２６が連結釘Ａの上下の連結シート１３の送り爪係合部６０に係合し、連結釘Ａを前方に送り出し、同図（ｄ）のように先頭の釘ａを射出口４内に供給する。その後、上記釘ａが同図（ａ）のように打ち出された後、送りピストン２３は同図（ｂ）のように再び後退するが、連結釘Ａを逆方向に移動しようとすると、同図（ｂ）（ｃ）に示されるように、逆止爪２８は連結シート１３の係合凹部１４に係合するので、連結釘Ａは移動できず同じ位置にとどまる。このため、送り爪２６は、送り通路１１から退避回動して連結シート１３から確実に外れる。なお、送りピストン２３が前進するときは、連結釘Ａも前進するように力を受ける。逆止爪２８は係合凹部１４に係合することはできないので、連結釘Ａは前方に送られる。このようにして送りピストン２３が往復動するたびに釘１本がノーズ部３の射出口４に送られる。
【００４７】
なお、ドア２１は、図１１（ａ）（ｂ）及び図１２に示されるように、ノーズ部３に沿って設けられたドア回動軸７０に回動自在に設けられている。ドア２１は箱形のドア本体６１の開口部を表面板６２でカバーしたもので、ドア本体６１の上板６３と下板６４との間には支軸３０が設けられ、支軸３０には逆止爪部材２９が回動自在に取り付けられている。逆止爪部材２９は板状の部材で、その中間部から前端部には逆止爪２８が形成され、後部は二股に分岐されている。逆止爪部材２９の前部はＺ字形に形成され、逆止爪２８の先端３１はさらに少し送り通路１１側に屈曲形成されている。逆止爪２８も上下に分かれているが、上下一体に形成してもよい。また、逆止爪部材２９の後部の上部６５と下部６６には上下に対向する支持片６７が折り曲げ形成され、支持片６７は上記支軸３０に回動自在に嵌合している。なお、支軸３０にはねじりコイルバネ３２が巻きつけられ、その一端３２ａはドアの表面板６２の背面に係合し、他端３２ｂは逆止爪部材２９の中間部に係合している。これにより、逆止爪部材２９は常時送り通路１１の中心側に付勢され、連結シート１３を押圧している。
【００４８】
また、逆止爪２８の先端２８ａに続く面状部２８ｂは連結シート１３の外縁部１３ａに当接する。このように、逆止爪２８と連結シート１３とが長く接触し、接触面積も大きいので、係合凹部１４に係合したときに連結シート１３は先端２８との係合部を中心に回動して外れることが抑えられ、連結シート１３の姿勢を制御して逆方向に移動するのを確実に防止することができる。
【００４９】
なお、係合凹部１４は、図１２に示されるように、上下の連結シート１３に上下方向に同じ位置に設けられている。そして、上記釘送り機構の逆止爪２８が上述のように連結シート１３の係合凹部１４に係合する場合、図１５（ａ）に示されるように、上下２枚の連結シート１３の位置が分岐した逆止爪２８の上部２８'の幅Ｗ１内にあるときは、逆止爪２８は確実に係合凹部１４に係合することができる。換言すれば、上記幅寸法の範囲内で連結シート１３がずれても逆止爪２８は係合凹部１４に係合する。
【００５０】
しかも、２枚の連結シート１３のうち一方の係合凹部１４に係合できなくても他方の係合凹部１４に係合することができる。すなわち、図１５（ｂ）に示されるように、上の連結シート１３の位置が分岐した逆止爪２８の上部２８'の幅Ｗ１内にあり、下の連結シート１３の位置が分岐した逆止爪２８の下部２８''の幅Ｗ２内にあるときでも、逆止爪２８は確実に係合凹部１４に係合することができる。
【００５１】
このように、逆止爪２８は従来のように上下の連結釘の連結シート１３間に挿入する必要がない。板状体であり、多少連結釘の連結シート１３の上下位置がずれても、連結シート１３の略真直の連結部１３ｂ側の端面を押圧していれば、確実に係合凹部１４に係合して逆止が機能するから、釘ａの位置がほぼ正確に出るので、連結シート１３の上下方向の位置ずれによる送り不良がなくなり、信頼性・安全性が向上する。
【００５２】
同様に、逆止爪２８の位置精度も要求されないから、ドア２１は、逆止爪部材２９を板金加工により、ドア本体３１を合成樹脂によって構成することができ、部品コストを低減し、ドア２１全体を軽量化することができる。
【００５３】
なお、上記では分岐した逆止爪２８について説明したが、分岐していない場合でも、上下２枚の連結シート１３の位置が逆止爪２８の先端３１の幅内にあれば、逆止爪２８は係合凹部１４に係合できることは言うまでもない。
【００５４】
（コンタクト部材）
次に、図５に示すようにノーズ部３に沿ってコンタクト部材３３が設けられている。このコンタクト部材３３は安全装置で、ノーズ部３の先端から突出するように配置された筒状のコンタクトトップ３４と、コンタクトトップ３４を釘の打ち込み方向に摺動するように支持する第１アーム３５と、第１アーム３５とトリガレバー１５との間に配置された第２アーム３６とから構成されている。第２アーム３６の一端３６ａは第１アーム３５に連結され、他端３６ｂは、図１に示すように、トリガレバー１５に設けられたコンタクトレバー３７に係合可能に配置されている。また、第２アーム３６とノーズ部３との間には圧縮バネ５３が配置されている。これにより、コンタクト部材３３は下方に付勢され、コンタクトトップ３４は、ノーズ部３の先端よりも下方に突出する。
【００５５】
そして、コンタクトトップ３４がノーズ部３から突出している状態でトリガレバー１５を引き操作しても、コンタクトレバー３７が作動しないので、操作は無効となり、釘打機は起動しないように構成されている。これに対しコンタクト部材３３を被打ち込み材に押し付けることにより、コンタクト部材３３が相対的にノーズ部３に沿って圧縮バネ５３に抗して押し込まれる方向に摺動したときは、第２アーム３６の端部３６ｂがコンタクトレバー３７を作動させ、トリガレバー１５の引き操作が有効となり、釘打機は起動する。コンタクト部材３３の摺動量が不足したときも安全装置が解除されず、トリガレバー１５の操作は有効にならない。
【００５６】
（送り爪とコンタクトアーム）
ところで、図１に示すように、送り爪２６の射出口４側の側端部４２は下方に長く延出形成され、この側端部４２とドア２１とによって射出口４を送り通路１１に対して閉じる（図４（ａ）参照）ように構成されている。これに対し、コンタクト部材３３のコンタクトトップ３４の上方には、送り通路１１の外側に退避回動した送り爪２６の側端部４２の先端（下端）部４２ａに係合可能な係合部４３（図５参照）が形成され、送り爪２６とコンタクト部材３３とによって安全機構が構成されている。なお、係合位置はコンタクト部材３３がトリガレバー１５の操作を有効にできる位置よりも下方に設定されている。送り爪２６が回動しないときは、図２（ａ）に示されるように、コンタクトトップ３４の係合部４３は送り爪２６の先端部に係合しないように構成されている。
【００５７】
上記構成において、送り通路１１に連結釘Ａを装填する際に、ドア２１を開き、マガジン５から連結釘Ａを引出し、送り爪２６に先頭の釘を係合させ、図４（ａ）のように送り通路１１に連結釘Ａを整列させた状態でドア２１を閉じる。連結釘Ａが正常に装填されていれば、送り爪２６は外側に回動することがないから、送り爪２６の爪部４４が連結釘Ａに入り込み、送り機構が確実に作動して釘送りも正常に行なわれる。また、ノーズ部３の先端を被打込み材に押し付けたときも、コンタクト部材３３は十分な量だけ移動するから、トリガレバー１５の起動操作も有効に行なわれ、釘の打ち込みも正常に行なわれる。
【００５８】
これに対し、連結釘Ａを誤って斜めに装填したり、送り爪２６の爪部４４に正しく係合させずに装填したりしてドア２１を強制的に閉めると、ドア２１は連結釘Ａを押し出すので、連結釘Ａは送り爪２６を外側に押圧する。このため、送り爪２６は外側に退避回動し、送り爪２６の先端４２ａの位置も、図２（ａ）の状態から同図（ｂ）のように移動する。この状態で釘打ち込みしようとして、コンタクト部材３３の先端を被打込み材に押し付け、コンタクト部材３３は釘打機本体に対して相対的に上方に摺動させると、その移動途中に送り爪２６の先端部が飛び出しているので、係合部４３が送り爪２６の先端４２ａに当接して入り込めなくなり、コンタクト部材３３はそれ以上上方に移動することができない。コンタクト部材３３の移動が規制されると、トリガレバー５の引き操作は無効となり、釘の打ち込み作動をさせることはできない。同図（ｃ）のように、送り爪２６が前進端まで進まないうちに打ち込むような場合も、同様である。したがって、釘がノーズ部３内に詰まったりする不都合を未然に防止することができる。
【００５９】
上述のような不具合は、連結釘Ａを正しく装填した後に、連結釘Ａの送りの途中で発生することがあるが、このような場合でも、上述と同様に送り爪２６は外側に退避回動し、コンタクト部材３３の移動は規制されるから、連結釘Ａの一部は送り爪２６を外側に押圧するから、釘の打ち込み作動を確実に防止することができる。
【００６０】
なお、上記各連結釘Ａについて、係合凹部１４の高さや釘軸の長さは異なるが、係合凹部１４の形状が同じで、釘軸方向に沿って連続的に形成されるいくつかの種類の連結釘と共通の釘打機と組み合わせることもできる。この場合、図１４（ａ）（ｂ）に示されるように、釘打機は組み合わせに供された各連結釘Ａ、Ａ´を個別に装填可能で、図１５（ａ）（ｂ）に示されるように、その逆止爪２８は上記連結釘Ａ、Ａ´の係合凹部１４のうち上下の係合凹部１４間の間隔が最も大きい係合凹部に係合可能に形成されるようにすればよい。すなわち、逆止爪２８の先端３１を、上下の係合凹部１４間の間隔のうちの最大間隔（例えば図１５（ｂ）のＨ２）よりも最大幅が大きくなるように形成するようにすればよい。
【００６１】
これにより、連結釘を送る際に共通の逆止爪２８によって種類の異なる連結釘Ａ、Ａ´が逆方向に移動するのを確実に防止することができる。係合部が係合凸部であっても、あるいは係合部が釘軸に対して斜めに設けられていても同様である。
【００６２】
上述のような複数の種類の連結釘Ａ、Ａ´と共通の逆止爪２８を有する釘打機との組み合わせによれば、逆止爪２８を共通化することができ、連結釘毎に逆止爪２８を変えたり、釘打機を変えたりする必要がないので、全体のコストを格段に抑えることができる。しかも、組み合わせの規模が大きくなるので、上記効果もさらに増大する。
【００６３】
（最後の１本）
なお、逆止爪部材２９の前部はＺ字形に形成され、逆止爪２８の先端３１はやや送り通路１１側に屈曲している。そして、図６（ａ）のように送り爪２６が後退するとき、同図（ｂ）のように逆止爪２８の先端３１が連結釘Ａの連結シート１３の三角形状の係合凹部１４に係合するとともに、逆止爪２８の基部も連結シート１３の側縁に係合する。したがって、逆止爪２８は釘ａの中心をはさんで少なくともその前後２箇所ｐ、ｑに係合している。したがって、連結釘Ａの最後から２本目の釘が打ち出された後、送り爪２６が最後の釘ａの後方に戻るとき、最後の釘ａの側面に沿って後退しながら乗り越えるが、逆止爪２８は最後の釘ａの釘軸の中心をはさんでその前後２箇所ｐ、ｑに係合して支持するので、最後の釘ａが回転するのは阻止される。したがって、逆止爪２８が連結釘Ａの係合凹部１４から外れることはなく、最後の釘ａも確実に送ることができる。これに対し、同図（ｃ）に示されるように、逆止爪２８´の先端が真直状で釘の後部を支持しないときは、最後の釘ａの後部は送り爪２６が後方に移動するときに押し返され、逆止爪２８´の先端と係合凹部１４との係合部を中心に回転し、ついには逆止爪２８´が係合凹部１４から外れてしまい、逆止作用できないため、最後の釘を前方に送ることができないことがある。
【００６４】
（係合部の他の態様）
次に、コンタクト部材３３の係合部４３はコンタクトトップ３４に一体的に形成される形態に限定されない。図７のように構成してもよい。すなわち、上端がトリガレバー１５に連係するコンタクト部材３３のメインアーム４６を、コンタクトトップ３４を打ち込み方向にガイドするガイド部材４７に連結し、上記メインアーム４６の中途部から分岐形成されたサブアーム４８の下端屈曲部５０には係合ピン（係合部）５２が設けられ、係合ピン５２には、コンタクト部材３３を下方に付勢する圧縮バネ５３が配置されている。係合ピン５２の上端は、送り通路１１の外側に退避回動した送り爪２６に係合可能に配置されている。係合位置はコンタクト部材３３がトリガレバー１５の操作を有効にできる位置よりも下方に設定されている。
【００６５】
なお、釘の送り機構等の基本的構成は上述の形態に示したものと同じである。
【００６６】
上記構成の安全機構によれば、ドア２１を開き、マガジン５から連結釘Ａを引出し、送り爪２６に連結釘Ａの先頭と２番目の釘を係合させ、図８（ａ）に示されるように、送り通路１１に連結釘Ａを整列させた状態でドア２１を閉じる。このとき、連結釘Ａが正常に装填されていれば、送り爪２６は外側に回動することがないから、送り機構が確実に作動して釘送りも正常に行なわれる。そして、釘打ち込みにあたり、ノーズ部３の先端を被打込み材に押し付けたときも、コンタクト部材３３は送り爪２６と干渉することなく釘打機本体に対して上方に移動するから、トリガの起動操作も有効に行なわれる。したがって、釘の打ち込みも正常に行なわれる。
【００６７】
これに対し、連結釘Ａを斜めにして装填したり、送り爪２６の爪部に正しく係合させずに装填したりしてドア２１を閉めると、図８（ｂ）に示されるように、連結釘Ａはドア２１に押されて送り爪２６を外側に押圧するので、送り爪２６は外側に退避回動する。この状態で釘打ち込みするためにコンタクトトップ３４を被打込み材に対して下方に押し付けると、コンタクト部材３３は釘打機本体に対して相対的に上方に摺動する。ところが、その係合ピン５２の移動範囲内に送り爪２６が飛び出しているので、係合ピン５２は送り爪２６に係合する。このため、コンタクト部材３３はそれ以上上方に移動することができず、トリガの引き操作は有効にならないから、釘打機を起動させることはできない。したがって、釘がノーズ部３内に詰まるというような不都合を未然に防止することができる。
【００６８】
（コンタクト部材の他の態様）
次に、コンタクト部材３３の構成は、コンタクトトップ３４を有するものに限定されない。例えば、図９のように、一端がトリガレバー１５に係合可能に設けられた第１アーム３５の下端に、コンタクトトップ３４に代えて可動ノーズ部５５を設ける構成でもよい。可動ノーズ部５５はノーズ部３に打ち込み方向に摺動自在に設けられているとともに、ノーズ部３の射出口４と連続する射出口４を備えている部材で、釘は可動ノーズ部５５から直接に打ち出されるように構成されている。第２アーム３６と可動ノーズ部５５との連結部分に係合部４３が形成されている。この係合部４３も、外側に退避回動した送り爪２６と係合可能に形成されている。
【００６９】
なお、釘の送り機構等の基本的構成は図１の形態に示したものと同じである。
【００７０】
上記構成において、送り通路１１に連結釘Ａを装填する際に、ドア２１を開き、マガジン５から連結釘Ａを引出し、送り爪２６に連結釘Ａの先頭の釘を係合させ、図１０（ａ）のように送り通路１１に連結釘Ａを整列させた状態でドア２１を閉じる。連結釘Ａが正常に装填されていれば、送り爪２６は外側に回動することがないから、送り機構が確実に作動して釘送りも正常に行なわれる。また、ノーズ部３の先端を被打込み材に押し付けたときも、可動ノーズ部５５は送り爪２６と干渉することなく釘打機本体に対して上方に移動するから、トリガレバー１５の起動操作も有効に行なわれる。したがって、釘の打ち込みも正常に行なわれる。
【００７１】
これに対し、連結釘Ａを斜めにして装填したり、送り爪２６の爪部４４に正しく係合させずに装填したりしてドア２１を閉めると、図１０（ｂ）に示されるように、連結釘Ａはドア２１に押されて送り爪２６を外側に押圧するので、送り爪２６は外側に退避回動する。この状態で釘打ち込みするためにノーズ部３の先端を被打込み材に押し付けると、可動ノーズ部５５は釘打機本体に対して相対的に上方に摺動する。ところが、その係合部４３の移動の途中に送り爪２６が飛び出しているので、係合部４３は送り爪２６に係合し、それ以上上方に移動することができない。可動ノーズ部５５の移動が規制されると、トリガの引き操作は無効となり、釘の打ち込み作動をさせることはできない。したがって、釘がノーズ部３内に詰まる不都合を未然に防止することができる。
【００７２】
上述のような不具合は、連結釘Ａを正しく装填した後も、連結釘Ａの送りの途中で発生することがある。このような場合でも、上述と同様にコンタクトアームの移動は規制されるから、連結釘Ａの一部は送り爪２６を外側に押圧するから、釘の打ち込み作動を確実に防止することができる。
【００７３】
なお、上記実施形態においてコンタクト部材３３は打ち出された釘を打ち込み方向に案内可能に構成されているが、必ずしもこれに限定されない。打ち出された釘を案内しない構成のものであってもよい。
【００７４】
なお、上述の実施形態では連結ファスナーとして連結釘の例について述べたが、釘に限らず、ネジ、打ち込みネジ等であってもよい。
【符号の説明】
【００７５】
Ａ  連結釘
１  釘打機本体
３  ノーズ部
４  射出口
１１  送り通路
１３  連結シート
１３ａ  外縁部
１３ｂ  連結部
１３ｃ  ファスナー保持部
１４  係合凹部
２１  ドア
２６  送り爪
２８  逆止爪
３３  コンタクト部材
３４  コンタクトトップ
４３  係合部
５２  係合ピン
５５  可動ノーズ部
【図１】
0005459097.tif 000002
【図２】
0005459097.tif 000003
【図３】
0005459097.tif 000004
【図４】
0005459097.tif 000005
【図５】
0005459097.tif 000006
【図６】
0005459097.tif 000007
【図７】
0005459097.tif 000008
【図８】
0005459097.tif 000009
【図９】
0005459097.tif 000010
【図１０】
0005459097.tif 000011
【図１１】
0005459097.tif 000012
【図１２】
0005459097.tif 000013
【図１３】
0005459097.tif 000014
【図１４】
0005459097.tif 000015
【図１５】
0005459097.tif 000016